(57)【要約】【課題】エレベーターのホールボタンの輝度を保守員の目視による主観的な確認によらず、適正な輝度に効率的に調整すること。【解決手段】かご１内に設けられた監視カメラ４とかご１の扉が開いた時に監視カメラ４が乗場を撮影した画像から乗場の照度を計測する照度計測手段１２と、照度計測手段１２の計測結果に応じてホールボタン応答灯または前記かご位置表示灯の少なくとも一方の輝度を調整する輝度調整手段とを備えた。【選択図】  図１
2015016942.tif 000002
【特許請求の範囲】
【請求項１】
エレベーターの乗場のホールボタン応答灯とエレベーターのかご位置表示灯を有するエレベーターの表示調整装置において、
かご内に設けられた監視カメラと、
前記かごの扉が開いた時に前記監視カメラが前記乗場を撮影した画像から前記乗場の照度を計測する照度計測手段と、
前記照度計測手段の計測結果に応じて前記ホールボタン応答灯または前記かご位置表示灯の少なくとも一方の輝度を調整する輝度調整手段とを備えたことを特徴とするエレベーターの表示調整装置。
【発明の詳細な説明】
【技術分野】
【０００１】
本発明は、エレベーターの表示調整装置に関する。
【背景技術】
【０００２】
近年、エレベーターの各階に設けられるホールボタンの光源として発光ダイオードを用いたものが一般的になっている。発光ダイオードは、同じ電流を流しても素子の個体差で明るさ、すなわち輝度にばらつきがあることや、ホールボタンの応答灯やかご位置表示灯として用いた場合、周辺の明るさに合わせて輝度を調整する必要がある。そこで、各階のホールボタンにて特殊な操作を行わせ、明るさ調整ボタンとして機能させる従来技術が知られている(例えば、特許文献１参照)。また、各階の調整を一括管理するため、エレベーターの制御盤に調整パラメータなどの数値を記憶させ、保全用端末装置でこの数値を読出し、修正するという方法も知られている(例えば、特許文献２参照)。
【先行技術文献】
【特許文献】
【０００３】
【特許文献１】特許第３３７４０４４号
【特許文献２】特開平９−１４２７５１号公報
【発明の概要】
【発明が解決しようとする課題】
【０００４】
しかしながら、上述した２つの従来技術はいずれの場合も、各階のホールボタンの輝度を保守員が目視にて確認し調整する必要がある。このため、保守員はホールボタンの輝度調整を行うときは各階のホールボタンの輝度を一つ一つ確認し、調整した上で、ばらつきが発生していないか最終確認を行う必要があった。
【０００５】
また、ホールボタンの輝度調整は保守員の主観に頼るところが大きく、保守員による判断のばらつきもあり、エレベーター保全品質を一定に保つことが難しいという問題があった。
【０００６】
また、従来のホールボタンの輝度調整は、保守員が作業をした時点での各階のホールの環境条件においてであり、時間帯等によるホールの環境変化は考慮されていないため、適正な輝度に調整されず、視認性を低下させる可能性があるという問題があった。
【０００７】
本発明の目的は、エレベーターのホールボタンの応答灯やかご位置表示灯の輝度を適正に、かつ効率的に調整できるエレベーターの表示調整装置を提供することにある。
【課題を解決するための手段】
【０００８】
上記目的を達成するために、本発明は、エレベーターの乗場のホールボタン応答灯とエレベーターのかご位置表示灯を有するエレベーターの表示調整装置において、かご内に設けられた監視カメラと、前記かごの扉が開いた時に前記監視カメラが前記乗場を撮影した画像から前記乗場の照度を計測する照度計測手段と、前記照度計測手段の計測結果に応じて前記ホールボタン応答灯または前記かご位置表示灯の少なくとも一方の輝度を調整する輝度調整手段とを備えたことを特徴とする。
【発明の効果】
【０００９】
本発明によれば、従来、保守員が主観により実施していた各階のホールボタン応答灯とエレベーターのかご位置表示灯の輝度調整を自動で実施するので、保守員の主観に頼らずホールボタン応答灯とエレベーターのかご位置表示灯の輝度を一定の品質を保つことができる。また、各階のホールの一日の陽光の変化や窓際にビルが新築されたなど、環境変化に応じて適正な輝度に自動調整することができる。
【００１０】
このことによって、ホールボタン応答灯とエレベーターのかご位置表示灯の輝度調整作業を不要とするので、保守作業の効率改善を実現できる。また、ホールの環境条件に応じて常に適正なホールボタンの輝度に制御できるため、視認性の向上や省エネルギー、ホールボタン照明部品の寿命を延長することができる。
【図面の簡単な説明】
【００１１】
【図１】本発明の実施の形態に係るエレベーターの表示調整装置のシステム構成を示すブロック図である。
【図２】本発明の一実施形態に係わる、かご監視カメラ画像の画像分析手段に入力される画像を示したものである。
【図３】本発明の一実施形態に係わる、画像分析手段に入力される画像からホールの照度計測領域選択状態を示したものである。
【図４】本発明の一実施形態に係わる、エレベーターの運転制御装置の制御手順を示すフローチャートである。
【発明を実施するための形態】
【００１２】
以下、本発明をエレベーターの表示調整装置に適用した一実施形態を図面に基づいて説明する。
【００１３】
図１は、本発明の実施の形態に係るエレベーターの表示調整装置のシステム構成を示すブロック図である。図１において、エレベーターのかご１にかごドア２が備え付けられており、図示しないエレベーターの制御装置からの制御により、かご１が昇降し乗場であるホールにて停止し、かごドア駆動装置３が駆動され、かごドア２が開閉する。かごドア２の開閉に同期して、ホールの図示しないホールドアが開閉し、エレベーターの利用者は乗降が可能となる。
【００１４】
また、かごドア２とは反対側のかご１内部の天井部に、監視カメラ４が設置されている。監視カメラ４で撮影されるかご内画像は、監視カメラ画像伝送路５を経由して照度計測部１０の画像分析手段１１に入力される。画像分析手段１１は入力された監視カメラ画像を分析し、画像全体からホール部分の画像を切り出すことができる。
【００１５】
画像分析手段１１が切り出したホール部分の画像から、照度計測部１０の照度計測手段１２は切り出したホール部分の照度を算出する。
【００１６】
このときのかご内画像を図２、図３を用いて説明する。図２は、かご１のかご床１Ａと左の側壁１Ｂと右の側壁１Ｃと、両開きのかごドア２の閉じている左右の扉２Ａ、２Ｂが撮影された画像である。
【００１７】
図３は、エレベーターの利用者が乗降するために、ホールに停止し、かごドア２が開いたときの状態を示し、かごドア２が開いたホール部分の画像を斜線部５０で示している。また、画像分析手段１１が切り出したホールの床部分の画像を白抜き部５０Ａで示す。
【００１８】
斜線部５０と白抜き部５０Ａはかごドア２の間口や開口部高さ、監視カメラ４の取付位置や撮影方向で1様に決定することができる。
【００１９】
従って、照度計測部１０の照度計測手段１２は、エレベーターがホールに停止しかごドア２及びホールドアが開いているときに、画像分析手段１１が切り出したホール床部分の白抜き部５０Ａの照度を計測する。
【００２０】
また、ホールの各階には照度計測部１０の照度計測手段１２と通信線６を経由して、各階の輝度調整部２１、２２、２３に接続されており、輝度調整部２１、２２、２３は各階の表示器２１、２２、２３に接続されている。照度計測部１０の照度計測手段１２は制御装置から現在の停止階信号を受信し、現在停止している階の輝度調整部２１、２２、２３に照度データを送信する。
【００２１】
今、かご１が２階に停止し、かごドア２及びホールドアが全開して２階ホールの白色部５０Ａの照度を照度計測手段１２が計測し、輝度調整部２２に２階ホールの照度データを通信線６を経由して送信する。輝度調整部２２は受信した照度データに対応した所定の輝度に表示器３２の輝度を設定する。
【００２２】
図４は、本発明の実施形態に係わるエレベーターの調整方法の制御手順を示すフローチャートである。
【００２３】
まず、照度計測部の処理手順をＳに処理番号を追記し、輝度調整部の処理手順をＴに処理番号を追記して記載する。
【００２４】
手順Ｓ１において、照度計測部１０の画像分析手段１１は制御装置からかご位置信号を受信する。
【００２５】
次に、手順Ｓ２において、画像分析手段１１は、制御装置からかごドア２及びホールドアの全開信号を受信する。かごドア２及びホールドアの全開信号を受信していなければ（手順Ｓ２でＮＯ）、繰返し手順Ｓ２を実施する。かごドア２及びホールドアの全開信号を受信していれば（手順Ｓ２でＹＥＳ）、手順Ｓ３において、画像分析手段１１は監視カメラ画像を分析し、撮影した画像からホール床画像の白抜き部５０Ａを切り出し、かご位置信号と白抜き部５０Ａの画像データを照度計測手段１２に出力する。
【００２６】
次に、手順Ｓ４において、照度計測手段１２は、画像分析手段１１から入力されたホール床画像の白抜き部５０Ａ画像データから照度を計測する。
【００２７】
次に、手順Ｓ５において、照度計測手段１２は、画像分析手段１１から受信したかご位置信号と計測した照度データをホールの輝度調整部に送信する。
【００２８】
一方、輝度調整部は手順Ｔ１において、手順Ｓ５で照度計測部１０の照度計測手段１２から送信されるかご位置信号と計測した照度データを受信する
次に、手順Ｔ２において、輝度調整部に予め設定されている輝度調整部の設置ホール信号と、手順Ｔ１で受信したかご位置信号が同一か判定をする。設置ホール信号とかご位置信号が同一でなければ（手順Ｔ２でＮＯ）、繰返し手順Ｔ１を実施する。
【００２９】
設置ホール信号とかご位置信号が同一の場合（手順Ｔ２でＹＥＳ）、手順Ｔ３において、輝度調整部は手順Ｔ１で受信した照度に対応した予め設定された輝度に、接続されている表示器の輝度を調整する。
【００３０】
以上のようにして、本発明のエレベーターの表示調整装置は順次かごが停止した階のホールの表示器の輝度を調整することができる。予め設定する輝度を絶対値で設定することも可能であり、照度に対し相対的に設定することも可能である。
【符号の説明】
【００３１】
１      かご
２      かごドア
３      かごドア駆動装置
４      監視カメラ
５      監視カメラ画像伝送路
６      通信線
１０    照度計測部
１１    画像分析手段
２１、２２、２３    輝度調整部
３１、３２、３３    表示器
【図１】
2015016942.tif 000003
【図２】
2015016942.tif 000004
【図３】
2015016942.tif 000005
【図４】
2015016942.tif 000006